(57)【特許請求の範囲】
【請求項１】
容器本体が、側周壁と底壁を具え、
側周壁の開口端にフランジを突設し、
フランジに横方向に伸びる複数段の揮散孔を穿設した揮散板を接着し、
揮散板の上面に、シール材を剥離貼着可能として貼着し、
容器本体の底壁を、吊下げ具を設けた台紙に装着したことを特徴とする芳香剤容器。
【請求項２】
容器本体が、側周壁と覆壁とを具え、
側周壁の開口端と覆壁の周縁にフランジを突設し、
覆壁に多数の揮散孔を穿設し、その上面にシール材を剥離貼着可能として貼着し、
容器本体の開口端に設けたフランジに吊下げ具を設けた台紙を装着したことを特徴とする芳香剤容器。
【請求項３】
シール材の表面に目盛り線、または切れ目線を設け、所望する広さのシール材を、揮散板または覆壁から剥離して揮散孔を開くようにしたことを特徴とする請求項１または２記載の芳香剤容器。
【請求項４】
揮散板または覆壁を、少なくとも半透明として、芳香剤の残量を外側から見ることができるようにしたことを特徴とする請求項１または２記載の芳香剤容器。
【請求項５】
台紙が、開口端のフランジに装着されるシール材と、該シール材に貼着し、吊下げ具を設けたシール材とからなっていることを特徴とする請求項２記載の芳香剤容器。
【請求項６】
開口端のフランジに装着したシール材に、揮散孔を穿設したことを特徴とする請求項５記載の芳香剤容器。
【請求項７】
台紙の裏面に貼着剤を塗布し、その上面に貼着剥離可能なシートを貼着したことを特徴とする請求項１または２、５のいずれかに記載の芳香剤容器。
【発明の詳細な説明】
【技術分野】
【０００１】
本発明は、芳香剤容器、とくに容器の蓋として、剥離貼着可能なシール材を用いた芳香剤容器に関するものである。
【背景技術】
【０００２】
容器内部に芳香剤、防臭剤等の揮散性物質を収納した容器を、吊下げ式、載置式にできるようにした容器は、従来より知られている（例えば、特許文献１参照）。
【特許文献１】特開２００５−２３９２５５
【発明の開示】
【発明が解決しようとする課題】
【０００３】
しかしながら、上記特許文献１記載の容器は、容器本体（２）と、フック（１９）を取着し窓孔（１７）を穿孔した蓋体（３）とから構成されており、容器本体（２）に揮散性物質を収納した後に、シール材（１１）で容器本体（２）の開口（ａ）を閉塞し、その上に窓孔（１７）を設けた蓋体（３）を被蓋し、揮散物収納容器としている。
そのため、容器本体（２）とともに、蓋体（３）を別途成形しなければならず、またフック（１９）の成形は簡単ではなく、生産コストがかかるという問題があった。
【０００４】
使用にあたって、蓋体（３）を外してシール材（１１）を取り外し、再び蓋体（３）を被蓋するため、取扱いが面倒であった。
また、シール材（１１）を剥がすと、全ての窓孔（１７）が開き、揮散の調整ができないという問題があった。
【０００５】
本発明は、上記の問題を解決することを課題とし、貼着剥離可能なシール材を用いて、芳香剤等の揮散面を調節可能とするとともに、外側から芳香剤の残量を観察できるようにした芳香剤容器を提供することを目的とする。
【課題を解決するための手段】
【０００６】
本発明は、上記の課題を解決するため、芳香剤容器として、容器本体が、側周壁と底壁を具え、側周壁の開口端にフランジを突設し、フランジに横方向に伸びる複数段の揮散孔を穿設した揮散板を接着し、揮散板の上面に、シール材を剥離貼着可能として貼着し、容器本体の底壁を、吊下げ具を設けた台紙に装着したことを特徴とする構成を採用する。
【０００７】
芳香剤容器の別実施例として、容器本体が、側周壁と覆壁とを具え、側周壁の開口端と覆壁の周縁にフランジを突設し、覆壁に多数の揮散孔を穿設し、その上面にシール材を剥離貼着可能として貼着し、容器本体の開口端に設けたフランジに吊下げ具を設けた台紙を装着したことを特徴とする構成を採用する。
【０００８】
シール材の実施例として、シール材の表面に目盛り線、または切れ目線を設け、所望する広さのシール材を、揮散板または覆壁から剥離して揮散孔を開くようにしたことを特徴とする構成を採用する。
【０００９】
容器の他の実施例として、揮散板または覆壁を、少なくとも半透明として、芳香剤の残量を外側から見ることができるようにしたことを特徴とする構成を採用する。
【００１０】
台紙の別実施例として、台紙が、開口端のフランジに装着されるシール材と、該シール材に貼着し、吊下げ具を設けたシール材とからなっていることを特徴とする構成を採用する。
【００１１】
シール材の別実施例として、開口端のフランジに装着したシール材に、揮散孔を穿設したことを特徴とする構成を採用し、台紙の別実施例として、台紙の裏面に貼着剤を塗布し、その上面に貼着剥離可能なシートを貼着したことを特徴とする構成を採用する。
【発明の効果】
【００１２】
容器本体の側周壁開口端に、フランジを設けて、該フランジに、多数の揮散孔を設けた揮散板の上面にシール材を剥離自在として貼着しているので、必要量の芳香を放散できるようになった。
また、容器本体を台紙に取着しているので、壁面への吊下げ、卓上への載置など、使い方が多様化できるようになった。
【発明を実施するための最良の形態】
【００１３】
次に本発明の実施形態について実施例をあげ、図面を参照して説明する。
【実施例１】
【００１４】
図１、２において、１は容器本体、２は容器本体１を取着する台紙、３は芳香剤の揮散板、４は揮散板３のシール材である。 
【００１５】
容器本体１は、上下左右の側周壁５ａ、５ｂ、５ｃ、５ｄと、底壁６とからなり、側壁５ａ、５ｂ、５ｃ、５ｄの開口端には、フランジ７ａ、７ｂ、７ｃ、７ｄが突設され、底壁６の周縁には、側周壁５ａ、５ｂ、５ｃ、５ｄの周縁から突出したフランジ８ａ、８ｂ、８ｃ、８ｄが形成されている。
【００１６】
台紙２は、厚紙またはプラスチックシート等を素材として成形され、上辺に吊下げ孔９が穿設され、下方の所定の位置には、フランジ８ｂ、８ｃに係止し、容器本体１を挟持する複数の取付片１０が設けられており、台紙の表面には、商品名、内容物ａの種類、使用方法等の表示、模様が施されている。
【００１７】
取付片１０に換え、底壁６を接着剤等で接着してもよい。
また、台紙裏面に貼着剤を塗布し、その上から貼着剥離可能なシートを貼り付け、使用時に剥がして、壁面、卓上等に貼着してもよい。
さらにまた、吊下げ孔に替え、台紙表面上端に係止具を取着してもよい。
【００１８】
側周壁５の開口端は、開口１１となっており、フランジ７ａ、７ｂ、７ｃ、７ｄには、開口１１を覆うように、揮散板３が接着されている。
揮散板３には、複数段にわたって横方向に伸びる揮散孔１２が穿孔されており、その表面には、粘着剤が塗布され、シール材４が貼着されるようになっている。
実施例では、揮散孔１２は、横方向に伸びる長孔となっているが、その形状は、円形、楕円形でもよく、形状、配列は、実施例に限定されない。
【００１９】
シール材４は、プラスチック、布などを素材とした剥離可能なシート状に形成され、上端にはタブ１３が突設され、表面には模様が施され、所定の位置に目盛り線１４、または切れ目線１４ａが設けられている。
【００２０】
シール材４、或いは揮散板３が半透明の場合には、揮散板３の裏面に模様を施してもよく、また、シール材４、揮散板３、容器本体１が透明、または半透明の場合には、台紙２の表面に模様を施し、内容物の減少に応じて、該模様をシール材４を透して見ることもできる。
【００２１】
次に、本発明芳香剤容器の使用態様と、作用効果について説明する。
容器本体１には、内容物ａとして、芳香剤、脱臭剤等が収納され、壁面に吊下げたり、台紙を卓上に載置したり、或いは壁等に立てかけたりして使用することができる。
【００２２】
使用にあたっては、図３に示すように、シール材４のタブ１３を引張り、所要の目盛り線１４まで揮散板３から引剥がすと、一定数の揮散孔１２が開口され、芳香剤が放散し、芳香を楽しむことができる。
多くの芳香が必要な場合には、次の目盛り線１４まで引剥がすと、多量の芳香を放散させることができる。
芳香剤の放散をやめたい場合には、シール材４を元に戻すと、揮散板３に貼着させることができ、揮散孔１２を閉じることができる。
【００２３】
また、シール材４と揮散板３が透明であると、残っている芳香剤の量を外側から知ることかできる。
【実施例２】
【００２４】
次に、容器の構成を変更した第２実施例について説明する。
第１実施例と同一の構成を有するものについては簡単に説明する。
図４、５において、２０は容器本体、２１は容器本体２０に接合された台紙、２２は容器本体２０の揮散孔を覆うシール材である。
【００２５】
容器本体２０は、覆壁２３と側周壁２４とからなり、覆壁２３の周縁、側周壁２４の開口端２５周縁には、それぞれ外方に突出するフランジ２６，２７が突設されている。
覆壁２３には、多数の揮散孔２８が穿設されており、覆壁２３の表面には、剥離貼着自在とし、所定の位置にタブ２９を設けたシール材２２が貼着されている。
【００２６】
台紙２１は、二枚のシール材３０、３１とからなり、シール材３０は、開口端２５のフランジ２７に取着されており、その表面には、貼着剤が塗布されている。
シール材の取着は、接着剤による接着、溶着その他適宜の手段によることができる。
シール材３１は、上部に吊下げ孔３２が穿設され、所定の位置に、商品名等の表示、模様が施されている。
【００２７】
シール材３１に取付片を設け、シール材３０を接着した容器本体２０を装着するようにしてもよい。
また、シール材３０、３１を同形として、使用時に、シール材３１を内側のシール材３０から剥離してもよい。
さらにまた、シール材３１の上面に貼着剤を塗布し、その上から貼着剥離可能なシートを貼り付け、使用時にシートを剥がして壁面、卓上等に貼着してもよい。
【００２８】
上記実施例では、揮散孔を覆壁に設けたが、シール材３０に揮散孔を設けるようにしてもよい。
【００２９】
次に、本実施例の使用態様と作用効果について説明する。
使用にあたっては、台紙２１のシール材２２を覆壁２３から剥がして、所望する揮散孔２８を開孔すると、必要な芳香を放散することができる。
その他第１実施例と同一の効果を得ることができる。
【００３０】
また、容器本体を透明、または半透明として、シール材３０の表面の模様を施すと、内容物ａが放散によって減少するときには、模様をみることによって、残量を知ることができる。
【産業上の利用可能性】
【００３１】
本発明の芳香剤容器は、容器本体の側周壁開口端にフランジを設け、揮散孔を穿孔した揮散板を接着し、その上面にシール材を剥離自在として貼着したので、必要とする芳香を得ることができ、構造も簡単であるので、各種の芳香剤、脱臭剤等の収納容器として、広く利用することができる。
【図面の簡単な説明】
【００３２】
【図１】本発明第１実施例の容器の分解斜視図である。
【図２】容器の断面立面図である。
【図３】容器使用時の説明斜視図である。
【図４】第２実施例の容器の斜視図である。
【図５】容器の断面立面図である。
【符号の説明】
【００３３】
１、２０    容器本体
２、２１    台紙
３          揮散板
４、２２、３０、３１    シール材
５ａ、５ｂ、５ｃ、５ｄ、２４  側周壁
６          底壁
７ａ、７ｂ、７ｃ、７ｄ、２６  フランジ
８ａ、８ｂ、８ｃ、８ｄ、２７  フランジ
９、３２    吊下げ孔
１０        取付片
１１        開口
１２、２８  揮散孔
１３、２９  タブ
１４        目盛り線
１４ａ      切れ目線
２３        覆壁
２５        開口端
ａ          内容物
【図１】
0005236314.tif 000002
【図２】
0005236314.tif 000003
【図３】
0005236314.tif 000004
【図４】
0005236314.tif 000005
【図５】
0005236314.tif 000006